(57)【要約】【課題】容易に取り外し可能な駐輪用スタンドを提供する。【解決手段】本考案の容易に取り外し可能な駐輪用スタンドは、第一支持ロッドと、第二支持ロッドと、ピン接合構造とを備える。第一支持ロッドの両端はそれぞれ第一端及び第二端とし、第一支持ロッドは第一端と第二端との間に第一ピボット部を有する。第二支持ロッドの両端はそれぞれ第三端及び第四端とし、第二支持ロッドは第三端と第四端との間に第二ピボット部を有する。ピン接合構造は第一ピボット部及び第二ピボット部に枢着され、第一支持ロッドと第二支持ロッドとが互いに枢設され、閉合位置と拡張位置との間で枢動可能になる。閉合位置にある場合、第一支持ロッド及び第二支持ロッドが互いに重畳されて直線状を呈し、拡張位置にある場合、第一支持ロッド及び第二支持ロッドがＸ形状を呈する。【選択図】図１
0003212908.tif 000002
【実用新案登録請求の範囲】
【請求項１】
ペダルを有する自転車に適用される容易に取り外し可能な駐輪用スタンドであって、
両端はそれぞれ第一端及び第二端とし、前記第一端と前記第二端との間には第一ピボット部を有する第一支持ロッドであって、前記第一端には前記第一支持ロッドから取り外し可能に装設される第一ツール部を有する第一支持ロッドと、
両端はそれぞれ第三端及び第四端とし、前記第三端と前記第四端との間には第二ピボット部を有する第二支持ロッドであって、前記第三端には前記第二支持ロッドから取り外し可能に装設される第二ツール部を有する第二支持ロッドと、
前記第一ピボット部及び前記第二ピボット部は枢動可能に接合され、前記第一支持ロッド及び前記第二支持ロッドを閉合位置と拡張位置との間で枢動可能にするためのピン接合構造とを備え、
前記閉合位置に位置される場合、前記第一支持ロッド及び前記第二支持ロッドが重畳され、
前記拡張位置に位置される場合、前記第一支持ロッド及び前記第二支持ロッドがＸ形状を呈して一定角度を挟み、且つ前記第一支持ロッドの前記第一端及び前記第二支持ロッドの第三端は前記自転車の前記ペダルに挿設され、前記第一支持ロッドの前記第二端及び前記第二支持ロッドの前記第四端は地面に支持されるように固定させて駐輪させ、前記自転車が駐輪するように固定されて支持されることを特徴とする、
容易に取り外し可能な駐輪用スタンド。
【請求項２】
前記第一ピボット部は大径孔と、小径孔と、長孔とを含み、前記長孔は前記大径孔と前記小径孔との間に連接され、前記大径孔の内径は前記小径孔の内径より大きく、前記小径孔の内径は前記長孔の幅より大きく、前記ピン接合構造はボルト及びスプリングを備え、前記ボルトは外径が大きい先端部及び前記先端部に対する末端部を有し、前記末端部と前記先端部との間の部分は接合段とし、前記ボルトの末端部は前記第二ピボット部に固定され、前記スプリングは前記接合段に覆設され、前記第一支持ロッドは前記大径孔により前記ボルトに覆設され、前記接合段が前記長孔を通って前記小径孔まで移動し、前記ボルトの先端部が前記第一支持ロッドに当接され、且つ前記スプリングは前記第一支持ロッドと前記第二支持ロッドとの間に当接されることを特徴とする、請求項１に記載の容易に取り外し可能な駐輪用スタンド。
【請求項３】
前記第二ピボット部はスルーホールであり、前記ボルトの末端部は前記第二ピボット部内に挿設されることを特徴とする、請求項２に記載の容易に取り外し可能な駐輪用スタンド。
【請求項４】
前記ボルトはＴ字型リベットであり、前記第二ピボット部は孔部であり、前記ボルトはリベット結合方式で前記第二ピボット部に結合されることを特徴とする、請求項２に記載の容易に取り外し可能な駐輪用スタンド。
【考案の詳細な説明】
【技術分野】
【０００１】
本考案は、自転車の分野に関し、より詳しくは、自転車を支持するための駐輪用スタンドに関する。
【背景技術】
【０００２】
一般的な自転車の駐輪用スタンドは棒体であり、自転車の車体に枢設される。騎乗時には、棒体が車体の方向に折り畳まれる。駐輪時には、棒体を枢動させると、棒体が車体の外の方向に向けて枢動し、棒体が地面に支持されるように固定される。
【考案の概要】
【考案が解決しようとする課題】
【０００３】
しかしながら、駐輪用スタンドの位置はペダル付近に位置されることが多く、使用者がペダルを踏む際に駐輪用スタンドにぶつけて怪我をすることがあった。更に、使用者が駐輪用スタンドを折り畳んでいない場合は、騎乗がより危険になる。また、駐輪用スタンドが車体に装設されると、車体の重量が増え、騎乗の負担が増した。
【０００４】
以上に鑑み、競技用自転車や専用の自転車には駐輪用スタンドが未設置の場合が多く、使用者が怪我をしないように配慮している。しかしこれらの競技用自転車や専用の自転車を駐輪する場合、壁に立てかけるか地面に倒しておくしかなく、車体が倒れたり、歩行者を傷付ける事故が発生した。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、収納及び取り外しが簡単に行え、競技用自転車や専用の自転車を使用する使用者が駐輪できるようにする容易に取り外し可能な駐輪用スタンドを提供することを目的とする。
【課題を解決するための手段】
【０００７】
上述した課題を解決し、上記目的を達成するための本考案は、ペダルを有する自転車に適用される。容易に取り外し可能な駐輪用スタンドは、両端はそれぞれ第一端及び第二端とし、第一端と第二端との間には第一ピボット部を有する第一支持ロッドであって、第一端には第一支持ロッドから取り外し可能に装設される第一ツール部を有することと、両端はそれぞれ第三端及び第四端とし、第三端と第四端との間には第二ピボット部を有する第二支持ロッドであって、第三端には第二支持ロッドから取り外し可能に装設される第二ツール部を有ことと、第一ピボット部及び第二ピボット部は枢動可能に接合され、第一支持ロッド及び第二支持ロッドを閉合位置と拡張位置との間で枢動可能にするためのピン接合構造とを備え、閉合位置に位置される場合、第一支持ロッド及び第二支持ロッドが重畳される。拡張位置に位置される場合、第一支持ロッド及び第二支持ロッドがＸ形状を呈して角度分挟まれ、且つ第一支持ロッドの第一端及び第二支持ロッドの第三端は自転車のペダルに挿設され、第一支持ロッドの第二端及び第二支持ロッドの第四端は地面に支持されるように固定させて駐輪させ、自転車が駐輪するように固定されて支持される。
【考案の効果】
【０００８】
以上のことから分かるように、本考案の容易に取り外し可能な駐輪用スタンドは競技用自転車や専用の自転車を使用する使用者が駐輪可能になる。また、本考案は装設及び使用が簡単であり、収納及び携帯にも便利である。
【図面の簡単な説明】
【０００９】
【図１】本考案の好ましい実施形態における拡張位置を示す外観斜視図である。
【図２】本考案の好ましい実施形態における閉合位置を示す外観斜視図である。
【図３】本考案の好ましい実施形態を示す分解図である。
【図４】本考案の好ましい実施形態を示す使用状況の概略図である。
【図５】本考案の好ましい実施形態を示す使用状況の拡大図である。
【図６】本考案の好ましい実施形態を他の角度から見た使用状況の拡大図である。
【考案を実施するための形態】
【００１０】
以下、図面を参照して本考案に係る容易に取り外し可能な駐輪用スタンドの実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１１】
以下、図１〜６を参照しながら、本考案を詳しく説明する。本考案の容易に取り外し可能な駐輪用スタンドは、第一支持ロッド１０と、第二支持ロッド２０と、ピン接合構造３０とを備える。
第一支持ロッド１０はその両端をそれぞれ第一端１１及び第二端１２とし、第一支持ロッド１０は第一端１１と第二端１２との間に第一ピボット部１３を有する。第二支持ロッド２０はその両端をそれぞれ第三端２１及び第四端２２とし、第二支持ロッド２０は第三端２１と第四端２２との間に第二ピボット部２３を有する。ピン接合構造３０により第一ピボット部１３及び第二ピボット部２３が枢動可能に接合され、第一支持ロッド１０及び第二支持ロッド２０を閉合位置Ａと拡張位置Ｂとの間で枢動可能にする。
【００１２】
閉合位置Ａに位置される場合、第一支持ロッド１０及び第二支持ロッド２０が相互に重合されると共に直線状を呈する。拡張位置Ｂに位置される場合、第一支持ロッド１０及び第二支持ロッド２０がＸ形状を呈すると共に角度θを挟み、且つ第一支持ロッド１０の第一端１１及び第二支持ロッド２０の第三端２１が自転車４０のペダル４１に挿設され、第一支持ロッド１０の第二端１２及び第二支持ロッド２０の第四端２２が地面に支持されるように固定させて駐輪させ、自転車４０が駐輪するように固定されて支持される。
【００１３】
また、第一支持ロッド１０の第一端１１は第一ツール部１４を有し、第二支持ロッド２０の第三端２１は第二ツール部２４を有する。第一ツール部１４及び第二ツール部２４は第一支持ロッド１０及び第二支持ロッド２０から取り外し可能に装設される。
【００１４】
好ましい実施態様において、第一ピボット部１３は大径孔１３１及び小径孔１３２を含み、大径孔１３１と小径孔１３２との間には長孔１３３が連接される。大径孔１３１の内径は小径孔１３２の内径より大きく、前記小径孔１３２の内径は前記長孔１３３の幅より大きい。
前記ピン接合構造３０はボルト３１及びスプリング３２を更に備え、ボルト３１は外径が大きい先端部３１１及び先端部３１１に対する末端部３１２を有する。末端部３１２と先端部３１１との間は接合段３１３とする。
【００１５】
なお、好ましい実施態様において、ボルト３１はＴ字型リベットであり、第二ピボット部２３は孔部である。ボルト３１はリベット結合方式により第二ピボット部２３に結合される。
【００１６】
ちなみに、第一支持ロッド１０及び第二支持ロッド２０が互いに垂直になると、ボルト３１の接合段３１３が長孔１３３に進入する。これにより、第一支持ロッド１０及び第二支持ロッド２０が閉合位置Ａまたは拡張位置Ｂにある際に脱離する事故を防止させる。
【００１７】
実際の使用においては、図１乃至図６に示すように、第一支持ロッド１０及び第二支持ロッド２０が拡張位置Ｂまで拡張され、且つ第一端１１及び第三端２１が自転車４０のペダル４１に挿入されると、第一端１１及び第三端２１がペダル４１に当接され、第二端１２及び第四端２２が地面に支持されるように固定させて駐輪させる。これにより、自転車４０を駐輪するように固定させて支持させる効果を達成させる。
【００１８】
騎乗時には、本考案に係る容易に取り外し可能な駐輪用スタンドが前記ペダル４１から取り外され、第一支持ロッド１０及び第二支持ロッド２０が閉合位置Ａまで閉合される。これにより収納して携帯することが可能になる。
【００１９】
総合すると、本考案に係る容易に取り外し可能な駐輪用スタンドは、競技用自転車や専用の自転車を使用する使用者が駐輪可能になる。また、本考案は装設及び使用が簡単であり、収納及び携帯にも便利である。
【００２０】
以上、本考案の実施形態について図面を参照して詳述したが、具体的な構成はこの実施形態に限られるものではなく、本考案の要旨を逸脱しない範囲の設計変更等も含まれる。
【符号の説明】
【００２１】
１０    第一支持ロッド
１１    第一端
１２    第二端
１３    第一ピボット部
１３１  大径孔
１３２  小径孔
１３３  長孔
１４    第一ツール部
２０    第二支持ロッド
２１    第三端
２２    第四端
２３    第二ピボット部
２４    第二ツール部
３０    ピン接合構造
３１    ボルト
３１１  先端部
３１２  末端部
３１３  接合段
３２    スプリング
４０    自転車
４１    ペダル
Ａ      閉合位置
Ｂ      拡張位置
θ      角度
【図１】
0003212908.tif 000003
【図２】
0003212908.tif 000004
【図３】
0003212908.tif 000005
【図４】
0003212908.tif 000006
【図５】
0003212908.tif 000007
【図６】
0003212908.tif 000008